(57)【要約】      （修正有）【課題】書き換え制限回数を無限大に向上するドライブ装置等を提供する。【解決手段】記録媒体としてフラッシュメモリを使用したドライブ装置は、メモリスロットに実装する外部メモリを交換する。また、ドライブ装置にメモリスロットを複数内蔵し、ＳＳＤの外部インターフェースとしてシリアルＡＴＡもしくはパラレルＡＴＡを備え、ＳＳＤ本体のフラッシュメモリを第一のドライブに、メモリスロットに実装した外部メモリを第二のドライブに割り当て、頻繁にアクセスするデータは第二のドライブに、頻繁に消去・書き換えを実施しない、読み出し専用データは第一のドライブを使用し、書き換え頻度の高いデータと書き換え頻度の低いデータもしくは読み出し専用のデータを別管理し、頻繁にアクセスするデータを外部メモリ内で使用し、書き込み回数制限で使用不可となった場合、新らしい外部メモリに交換する。【選択図】図１
2010140342.tif 000002
【特許請求の範囲】
【請求項１】
記録媒体としてフラッシュメモリを使用したドライブ装置において、
メモリスロットに実装する外部メモリを交換することを特徴とするドライブ装置。
【請求項２】
ドライブ装置にメモリスロットを複数内蔵し、ＳＳＤの外部インターフェースとしてシリアルＡＴＡもしくはパラレルＡＴＡを備え、ＳＳＤ本体のフラッシュメモリを第一のドライブに、メモリスロットに実装した外部メモリを第二のドライブに割り当て、頻繁にアクセスするデータは第二のドライブに、頻繁に消去・書き換えを実施しない、読み出し専用データは第一のドライブを使用し、書き換え頻度の高いデータと書き換え頻度の低いデータもしくは読み出し専用のデータを別管理し、頻繁にアクセスするデータを外部メモリ内で使用し、書き込み回数制限で使用不可となった場合、新らしい外部メモリに交換することを特徴とするドライブ装置。
【請求項３】
記録媒体としてフラッシュメモリを使用し、メモリスロットに実装する外部メモリを交換するドライブ装置を備えることを特徴とする情報処理装置。
【請求項４】
ドライブ装置にメモリスロットを複数内蔵し、ＳＳＤの外部インターフェースとしてシリアルＡＴＡもしくはパラレルＡＴＡを備え、ＳＳＤ本体のフラッシュメモリを第一のドライブに、メモリスロットに実装した外部メモリを第二のドライブに割り当て、頻繁にアクセスするデータは第二のドライブに、頻繁に消去・書き換えを実施しない、読み出し専用データは第一のドライブを使用し、書き換え頻度の高いデータと書き換え頻度の低いデータもしくは読み出し専用のデータを別管理し、頻繁にアクセスするデータを外部メモリ内で使用し、書き込み回数制限で使用不可となった場合、新らしい外部メモリに交換するドライブ装置を備えることを特徴とする情報処理装置。
【請求項５】
ドライブ装置にメモリスロットを複数内蔵し、ＳＳＤの外部インターフェースとしてシリアルＡＴＡもしくはパラレルＡＴＡを備え、ＳＳＤ本体のフラッシュメモリを第一のドライブに、メモリスロットに実装した外部メモリを第二のドライブに割り当て、頻繁にアクセスするデータは第二のドライブに、頻繁に消去・書き換えを実施しない、読み出し専用データは第一のドライブを使用し、書き換え頻度の高いデータと書き換え頻度の低いデータもしくは読み出し専用のデータを別管理し、頻繁にアクセスするデータを外部メモリ内で使用し、書き込み回数制限で使用不可となった場合、新らしい外部メモリに交換することを特徴とするデータ書き換え方法。
【発明の詳細な説明】
【技術分野】
【０００１】
本発明は、ドライブ装置のデータを書き換える技術に関する。
【背景技術】
【０００２】
記憶媒体としてフラッシュメモリを使用したドライブ装置は、フラッシュメモリを使用しているため、データの消去・書き込みを自由に行なえる半面、書き込み回数に制限があり、頻繁にデータ消去・書き換えを繰り返すシステムには向いていない。
【０００３】
また、メモリ容量が大容量になると、高価となり簡単に製品に使用する事ができない。
【０００４】
関連技術として、光ディスクと外部メモリを複合して、また両者独立に書き込み可能とする技術が提案されている（例えば、特許文献１参照）。
【特許文献１】実用新案登録３０９２３６６号公報
【発明の開示】
【発明が解決しようとする課題】
【０００５】
しかしながら、ＳＳＤはフラッシュメモリを使用しているため、データの消去・書き込みを自由に行なえる半面、書き込み回数は少ないもので数百回、多いもので数百万回の回数制限がある。
【０００６】
また、ＨＤＤに比べると高速化、低消費電流、耐衝撃性の面で優れているが大容量ＳＳＤは高価なため気軽に購入・採用する事は難しいという問題があった。
【０００７】
本発明は、以上のような課題を解決するためになされたもので、書き換え制限回数を無限大に向上するドライブ装置、情報処理装置およびデータ書き換え方法を提供することを目的とする。
【課題を解決するための手段】
【０００８】
本発明のドライブ装置は、記録媒体としてフラッシュメモリを使用したドライブ装置において、
メモリスロットに実装する外部メモリを交換することを特徴とする。
【０００９】
また、本発明の情報処理装置は、記録媒体としてフラッシュメモリを使用し、メモリスロットに実装する外部メモリを交換するドライブ装置を備えることを特徴とする。
【００１０】
また、本発明のデータ書き換え方法は、ドライブ装置にメモリスロットを複数内蔵し、ＳＳＤの外部インターフェースとしてシリアルＡＴＡもしくはパラレルＡＴＡを備え、ＳＳＤ本体のフラッシュメモリを第一のドライブに、メモリスロットに実装した外部メモリを第二のドライブに割り当て、頻繁にアクセスするデータは第二のドライブに、頻繁に消去・書き換えを実施しない、読み出し専用データは第一のドライブを使用し、書き換え頻度の高いデータと書き換え頻度の低いデータもしくは読み出し専用のデータを別管理し、頻繁にアクセスするデータを外部メモリ内で使用し、書き込み回数制限で使用不可となった場合、新らしい外部メモリに交換することを特徴とする。
【発明の効果】
【００１１】
本発明によれば、書き換え制限回数を無限大に向上することが可能となる。
【発明を実施するための最良の形態】
【００１２】
以下、本発明の実施の形態について図面を参照して詳細に説明する。図１に示す本実施の形態におけるドライブ装置は、フラッシュメモリを使用したドライブ機器（ＳＳＤ）の筐体内にメモリスロットを内蔵する。
【００１３】
メモリスロットを内蔵したＳＳＤには、外部インターフェースとしてシリアルＡＴＡ、パラレルＡＴＡ、ＵＳＢなどのインターフェース部を備えており外部機器との接続を可能とする。
【００１４】
内蔵したメモリスロットには「ＳＤ、ＣＦなど」のフラッシュメモリを実装する。
【００１５】
フラッシュメモリはデータの消去、書き換え制限があるため、ＳＳＤ本体のフラッシュメモリ内では頻繁にデータの消去および書き換えは実施しない。
【００１６】
頻繁に消去および書き換えを実施する場合は、メモリスロット内に実装したフラッシュメモリ内で実施する。
【００１７】
メモリスロットに実装したフラッシュメモリは着脱可能なので、書き換え制限に達し使用不可能になった場合、使用中のファイルは一時的にＳＳＤ本体のフラッシュメモリを使用するか、新しいフラッシュメモリに交換して保存する。
【００１８】
このため、本来、フラッシュメモリを使用しているＳＳＤは書き換え回数制限があるが、このメモリスロットを内蔵しフラッシュメモリを交換可能にしたことで書き換え回数に制限無く使用可能となる。すなわち、通常数百回〜数百万回の消去・書き換え制限があることに対し書き換え回数を無限大に向上することができる。
【００１９】
また、交換するフラッシュメモリの容量を大きくする事で、ＳＳＤトータルのメモリ容量を増設する事が可能となる。
【００２０】
次に、実発明の実施の形態における動作を詳細に説明する。
【００２１】
例えば、８ＧＢのＳＳＤを使用した場合、容量を増設するには新規に別のＳＳＤを準備する必要がある。このＳＳＤは記憶媒体にフラッシュメモリを使用しているため消去・書き換え回数に制限がある。
【００２２】
本発明の実施例としては、この８ＧＢのＳＳＤにメモリスロットを複数内蔵し、このスロットに外部メモリ（２Ｇもしくは４ＧなどのＳＤ、ＣＦなど）を実装し、ＳＳＤ本体のフラッシュメモリをＣドライブ、メモリスロットに実装する外部メモリをＤドライブとして割り付け、実装する外部メモリの容量を増やすことでＳＳＤトータルのメモリ容量を増設する事が可能となる。
【００２３】
ＳＳＤにメモリスロット（ＳＤ、ＣＦなどのメモリ実装用）を複数内蔵し、ＳＳＤの外部インターフェースとしてシリアルＡＴＡもしくはパラレルＡＴＡを備え、"ＳＳＤ本体のフラッシュメモリ"をＣドライブに、"メモリスロットに実装した外部メモリ（フラッシュメモリ）"をＤドライブに割り当て、頻繁にアクセスするデータはＤドライブに、頻繁に消去・書き換えを実施しない、読み出し専用データはＣドライブを使用する。
【００２４】
また、ＳＳＤはフラッシュメモリで構成されているため、消去・書き換え回数が決まっている。そのためＳＳＤを新品に交換する必要があった（図２のフローチャート参照）。
【００２５】
これを解決するために、複数内蔵したメモリスロットに実装する外部メモリは交換可能なので、頻繁に消去・書き換えするデータはＤドライブ側のフラッシュメモリ（ＳＤ、ＣＦ）で実施し、頻繁に書き換えを実施しないもしくは読み出し専用のデータはＣドライブを使用する。
【００２６】
頻繁に消去・書き換えするＤドライブのフラッシュメモリ（ＳＤ、ＣＦ）の書き換え回数が制限値超えた場合、外部メモリを新しいメモリに交換する事でＳＳＤとしては書き換え回数を制限無く使用する事が可能となる（図３のフローチャート参照）。
【００２７】
すなわち、記憶媒体としてフラッシュメモリを用いたドライブ装置（以下ＳＳＤ）に外部メモリ（ＳＤ、ＣＦなど）を実装するメモリスロットを複数（１スロット〜）内蔵し、このメモリスロットに外部メモリ（フラッシュメモリ）を実装及び交換可能にし、ＳＳＤ本体のフラッシュメモリと外部メモリそれぞれにドライブを割り当てる。
【００２８】
書き換え回数の少ないデータを処理するエリアは「ＳＳＤ本体のフラッシュメモリ（Ｃドライブ）」を使用し、書き換え頻度の高いデータは「メモリスロットに実装した外部メモリ（フラッシュメモリ）（Ｄドライブ）」を使用することで本来書き換え回数制限があったＳＳＤの書き換え回数を無限大に向上させる。
【００２９】
また、ＳＳＤに内蔵したメモリスロットに実装する外部メモリ容量を大きくすることで、ＳＳＤ全体のメモリ容量を容易に、低コストで増設する事を可能にした。
【００３０】
以上説明したように、本実施の形態によれば、以下に記載するような効果を奏する。
第１の効果は、記憶媒体のフラッシュメモリを用いたドライブ装置にメモリスロットを複数内蔵し、外部メモリを交換可能とした。
第２の効果は、外部メモリを交換可能にしたことで、外部メモリ内でデータに消去・書き換えを可能にし、頻繁にアクセスするデータは外部メモリのフラッシュメモリ内で使用し、書き換え制限を越えた場合、この外部メモリを交換する事で書き換え制限回数を無限大に向上させることができる。
第３の効果は、外部メモリを交換する際は、ＳＳＤ本体のフラッシュメモリを使用しデータを一次保存する事が可能となった。
第４の効果は、外部メモリの容量を増設する事で、ＳＳＤトータルのメモリ容量を増やす事が可能となった。
【００３１】
なお、メモリスロットの数をＮスロットに増設し、実装する外部メモリをそのスロット分増やすことで、より大容量化、より書き換え回数の制限を無限に近づける事ができる。
また、信頼性をより向上する事ができる。
【００３２】
なお、上述する実施の形態は、本発明の好適な実施の形態であり、本発明の要旨を逸脱しない範囲内において種々変更実施が可能である。
【００３３】
本発明は以下のような用途に適用可能である。
小型軽量の情報処理装置の記憶装置（モバイル、ノートＰＣなど）。
耐衝撃性を要求される装置の記憶装置。
大容量のファイルの保存や読み出しを短時間もしくは頻繁に行なうシステムの記憶装置。(読み出し、書き込みスピードを要求されるシステムの記録装置)
ＨＤＤなどの記憶装置を備えたシステムで低消費電力を要求される装置。
【図面の簡単な説明】
【００３４】
【図１】本発明の実施の形態に係る装置構成を示す図である。
【図２】本発明の実施の形態に係る全体の動作に関連するフローチャートである。
【図３】本発明の実施の形態に係る全体の動作を示すフローチャートである。
【図１】
2010140342.tif 000003
【図２】
2010140342.tif 000004
【図３】
2010140342.tif 000005